(57)【要約】【課題】  画像表示機能を実現するためのパネル操作用スタイラスペンの操作を簡略化して種々の操作入力を実行できるようにする。【解決手段】  パネル操作装置１は、タッチによって操作入力する入力点が多数配列された操作パネル部７と、タッチされた入力点の位置座標を検出する位置検出部５１と、タッチ操作を行うパネル操作用スタイラスペン３からの伸縮情報を入力する入力部１１と、伸縮情報に応じて表示パネル部５における表示画像を、タッチ位置を基準にして伸縮させて表示制御する画像制御部４５、４９とを有する。パネル操作用スタイラスペン３は、スタイラスペン本体１３と、スタイラスペン本体１３から突出してパネル操作装置１の操作パネル部７をタッチ操作する進退動可能なペン軸２１と、ペン軸２１の進退動に応じた伸縮情報を出力する出力部１９とを有している。【選択図】  図１
2009020552.tif 000002
【特許請求の範囲】
【請求項１】
画像を表示する表示パネル部に重ねられ、タッチによって操作入力する入力点が多数配列された操作パネル部と、タッチされた前記入力点の位置座標を検出する位置検出部と、前記タッチ操作を行うパネル操作用スタイラスペンからの伸縮情報を入力する入力部と、入力された前記伸縮情報に応じて前記表示パネル部における前記表示画像を前記タッチ位置を基準にして伸縮させて表示制御する画像制御部とを有するパネル操作装置と、
スタイラスペン本体と、このスタイラスペン本体から突出して前記パネル操作装置の操作パネル部をタッチ操作する進退動可能なペン軸と、このペン軸の進退動に応じた前記伸縮情報を出力する出力部とを有するパネル操作用スタイラスペンと、
を具備することを特徴とするパネル操作システム。
【請求項２】
前記パネル操作用スタイラスペンの前記出力部は、前記伸縮情報として前記ペン軸の後退動に伴って伸張情報を、前進動に伴って縮小情報を出力する請求項１記載のパネル操作システム。
【請求項３】
前記パネル操作用スタイラスペンの前記ペン軸は、突出方向に付勢されてなる請求項１又は２記載のパネル操作システム。
【請求項４】
前記パネル操作用スタイラスペンは、外部からの操作を受けて前記ペン軸の変位を一時的に固定する固定部材を有する請求項１〜３いずれか１記載のパネル操作システム。
【請求項５】
画像を表示する表示パネル部に重ねられ、タッチによって操作入力する入力点が多数配列された操作パネル部と、
タッチされた前記入力点の位置座標を検出する位置検出部と、
前記タッチ操作を行うパネル操作用スタイラスペンからの伸縮情報を入力する入力部と、
入力された前記伸縮情報に応じて前記表示パネル部における前記表示画像を前記タッチ位置を基準にして伸縮させて表示制御する画像制御部と、
を具備することを特徴とするパネル操作装置。
【請求項６】
スタイラスペン本体と、
このスタイラスペン本体から突出してパネル操作装置の操作パネル部をタッチ操作する進退動可能なペン軸と、
このペン軸の進退動に応じた伸縮情報を出力する出力部と、
を具備することを特徴とするパネル操作用スタイラスペン。
【請求項７】
前記出力部は、前記伸縮情報として、前記ペン軸の後退動に伴って伸張情報を、前進動に伴って縮小情報を出力する請求項６記載のパネル操作用スタイラスペン。
【請求項８】
前記ペン軸は、突出方向に付勢されてなる請求項６又は７記載のパネル操作用スタイラスペン。
【請求項９】
外部からの操作を受けて前記ペン軸の変位を一時的に固定する固定部材を有する請求項６〜８いずれか１記載のパネル操作用スタイラスペン。
【請求項１０】
タッチによって操作入力する入力点が多数配列され表示パネル部に重ねられた操作パネル部に対し、前記タッチ操作によって前記操作パネル部を制御する制御用コンピュータに、
タッチによって前記入力点の前記操作入力を受けるタッチ入力処理と、
タッチ操作を行うパネル操作用スタイラスペンからの伸縮情報を入力する伸縮情報入力処理と、
入力された前記伸縮情報に応じて前記表示パネル部における前記表示画像を前記タッチ位置を基準にして伸縮させて表示制御する画像可変制御処理と、
を実行させることを特徴とするパネル操作処理プログラム。
【発明の詳細な説明】
【技術分野】
【０００１】
本発明はパネル操作処理システム、パネル操作装置、パネル操作用スタイラスペンおよびパネル操作処理プログラムに係り、例えば携帯用のパーソナルデータ処理端末等に適用して好適するパネル操作処理システム、パネル操作装置、パネル操作用スタイラスペンおよびパネル操作処理プログラムの改良に関する。
【背景技術】
【０００２】
近年、例えばＰＤＡ（Personal Digital Assistant）と称される携帯用のパーソナルデータ処理端末が提供されているが、このようなパーソナルデータ処理端末では操作画面を変更したりデータを入力する場合、操作パネル部にパネル操作用スタイラスペンをタッチさせる等して操作入力していた。
【０００３】
そして、パーソナルデータ処理端末において、パネル操作用スタイラスペンをタッチして種々の操作を行う際に、タッチ操作とともに別の操作コマンドを入力する必要が生じる場合が多いが、このような場合、操作パネル部周囲に配置された操作コマンドボタンをパネル操作用スタイラスペンで一々タッチし直して切り換える必要があり、パネル操作用スタイラスペンの移動範囲が広く、操作が煩雑であった。
【０００４】
そこで、従来から操作画面に対する入力操作方法やパネル操作用スタイラスペンについて種々の工夫がなされており、例えば特開平１０−１７１５８６号公報（特許文献１）等が提案されている。
【０００５】
この特許文献１は、ペンの接触点に弾性を備えた導電性素材を用い、入力タブレットにその接触点を押し付けたときの接触面積を可変し、その接触点に流れる電流値の総和からペンの筆圧情報を算出する構成を有するペン入力装置であり、圧力センサなどを用いることなく、ペンの筆圧情報を可変してこれを操作切換え等して利用ができるようにしたものである。
【０００６】
また、別の提案として特開平１１−２０３０３４号公報（特許文献２）がある。
【０００７】
この特許文献２は、所定の情報を上位装置に指示入力する電子ペンであり、ペン筺体の先端部から突出させるペン先を、当該ペン筺体の長手方向に沿って移動自在とし、そのペン先の突出量を大小二段階に切り換え可能に構成することにより、ペン先の突出量の大小の切り換えによって入力操作モードの切り換えを可能にしたものである。
【０００８】
さらに、別の構成として特開２００４−２８０７４５号公報（特許文献３）も提案されている。
【０００９】
この特許文献３は、地図等の表示画面上で、拡大表示したいエリアを指やスタイラスペンなどで触れて円を描いて囲むと操作検知部でそれを検知し、この検知に基づき表示制御部が拡大表示に切り替わり、そのエリアが画面に収まるようにした表示装置であり、一回の操作で見たいエリアを見たい拡大率で表示できるようにしたものである。
【特許文献１】特開平１０−１７１５８６号公報
【特許文献２】特開平１１−２０３０３４号公報
【特許文献３】特開２００４−２８０７４５号公報
【発明の開示】
【発明が解決しようとする課題】
【００１０】
しかしながら、上述した特許文献１は、パネル操作用スタイラスペンによるタッチ操作とともにそのペンの筆圧情報によって別の操作コマンドを入力することが可能であるが、接触面積による表現可能な範囲が狭く、実際には実用になり難い。
【００１１】
また、特許文献２は、ペン先の突出量を大小二段階に切り換えて入力操作モードの切り換えを可能にしたものであり、２種類にしか対応できない難点があり、改良の余地がある。
【００１２】
さらに、特許文献３は、拡大表示したいエリアだけをスタイラスペン等で触れて拡大表示させるもので、単に、標準表示と拡大表示を切り替えるのみであり、特許文献２と同様に２種類にしか対応できず、改良の余地がある。
【００１３】
本発明はそのような課題を解決するためになされたもので、画像表示機能を実現するためのパネル操作用スタイラスペンの操作を簡略化し、タッチ操作性とは別に他の連続的操作入力を可能にしたパネル操作システム、パネル操作装置、パネル操作用スタイラスペンおよびパネル操作処理プログラムの提供を目的とする。
【課題を解決するための手段】
【００１４】
そのような課題を解決するために本発明に係るパネル操作システムは、パネル操作装置と、パネル操作用スタイラスペンとを有している。
【００１５】
しかも、そのパネル操作装置は、画像を表示する表示パネル部に重ねられ、タッチによって操作入力する入力点が多数配列された操作パネル部と、タッチされた入力点の位置座標を検出する位置検出部と、そのタッチ操作を行うパネル操作用スタイラスペンからの伸縮情報を入力する入力部と、入力された伸縮情報に応じてその表示パネル部における表示画像を、そのタッチ位置を基準にして伸縮させて表示制御する画像制御部とを有している。
【００１６】
そのパネル操作用スタイラスペンは、スタイラスペン本体と、このスタイラスペン本体から突出して上記パネル操作装置の操作パネル部をタッチ操作する進退動可能なペン軸と、このペン軸の進退動に応じた伸縮情報を出力する出力部とを有している。
【００１７】
本発明のパネル操作システムでは、上記出力部が、その伸縮情報としてペン軸の後退動に伴って伸張情報を、前進動に伴って縮小情報を出力する構成も可能である。
【００１８】
本発明のパネル操作システムでは、上記ペン軸が突出方向に付勢されてなる構成も可能である。
【００１９】
本発明のパネル操作システムでは、上記パネル操作用スタイラスペンが、外部からの操作を受けてそのペン軸の変位を一時的に固定する固定部材を有する構成も可能である。
【００２０】
そして、本発明に係るパネル操作装置は、画像を表示する表示パネル部に重ねられ、タッチによって操作入力する入力点が多数配列された操作パネル部と、タッチされた入力点の位置座標を検出する位置検出部と、そのタッチ操作を行うパネル操作用スタイラスペンからの伸縮情報を入力する入力部と、入力された伸縮情報に応じてその表示パネル部における表示画像を、そのタッチ位置を基準にして伸縮させて表示制御する画像制御部とを有している。
【００２１】
また、本発明に係るパネル操作用スタイラスペンは、スタイラスペン本体と、このスタイラスペン本体から突出してパネル操作装置の操作パネル部をタッチ操作する進退動可能なペン軸と、このペン軸の進退動に応じた伸縮情報を出力する出力部とを具備している。
【００２２】
本発明のパネル操作用スタイラスペンでは、上記出力部が、その伸縮情報としてペン軸の後退動に伴って伸張情報を、進動に伴って縮小情報を出力する構成も可能である。
【００２３】
本発明のパネル操作用スタイラスペンでは、上記ペン軸が突出方向に付勢されてなる構成も可能である。
【００２４】
本発明のパネル操作用スタイラスペンでは、外部からの操作を受けて上記ペン軸の変位を一時的に固定する固定部材を有する構成も可能である。
【００２５】
さらに、本発明に係るパネル操作処理プログラムは、タッチによって操作入力する入力点が多数配列され表示パネル部に重ねられた操作パネル部に対し、そのタッチ操作によってその操作パネル部を制御する制御用コンピュータに、タッチによってその入力点の操作入力を受けるタッチ入力処理と、タッチ操作を行うパネル操作用スタイラスペンからの伸縮情報を入力する伸縮情報入力処理と、入力されたその伸縮情報に応じてその表示パネル部における表示画像をそのタッチ位置を基準にして伸縮させて表示制御する画像可変制御処理とを実行させるものである。
【発明の効果】
【００２６】
このような本発明に係るパネル操作システムおよびパネル操作装置では、そのパネル操作用スタイラスペンのスタイラスペン本体から突出するペン軸を上記パネル操作装置の操作パネル部にタッチ操作すると、タッチ位置の検出がなされる一方、そのペン軸の進退動に応じた伸縮情報をパネル操作用スタイラスペンが出力し、そのパネル操作装置では、伸縮情報を入力してこれに応じて表示パネル部における表示画像を、そのタッチ位置を基準にして伸縮させて表示制御するから、パネル操作用スタイラスペンの操作によってタッチ入力と画像表示変更指示の実現を簡略化することが可能である。
【００２７】
本発明において、その伸縮情報としてペン軸の後退動に伴って伸張情報を、前進動に伴って縮小情報を出力する構成では、操作パネル部に対してパネル操作用スタイラスペンを押せば、自動的に表示画像を拡大させることが可能となる。
【００２８】
本発明において、上記ペン軸が突出方向に付勢されてなる構成では、操作パネル部からパネル操作用スタイラスペンを離せば、自動的に表示画像が元の画像に自動的に戻る利点がある。
【００２９】
本発明において、上記パネル操作用スタイラスペンが、外部からの操作を受けてそのペン軸の変位を一時的に固定する固定部材を有する構成では、伸縮途中の画像を一時的に固定することが可能となる利点がある。
【発明を実施するための最良の形態】
【００３０】
以下、本発明の実施の形態を図面を参照して説明する。なお、本発明に係るパネル操作装置、パネル操作用スタイラスペンおよびパネル操作処理プログラムはパネル操作システムを説明する過程で説明する。
【００３１】
図１は本発明に係るパネル操作システムの実施の形態を示す概略構成図であり、パネル操作装置１およびパネル操作用スタイラスペン３によって構成される。
【００３２】
図１において、パネル操作装置１は、操作前面側に配置された表示パネル部５およびこの前面に重ねられた操作パネル部７を有する例えばパーソナルデータ処理端末であり、操作パネル部７の周囲に分散配置された複数の操作スイッチ９および入力部としての受信部１１を有し、パネル操作用スタイラスペン３によって操作パネル部７および操作スイッチ９上をタッチ操作入力を受けて動作するようになっている。なお、操作パネル部７は表示パネル部５に重ねられるので、図１では峻別されていない。
【００３３】
次に、パネル操作用スタイラスペン３について説明する。
【００３４】
パネル操作用スタイラスペン３は、図２Ａに示すように、筒型のスタイラスペン本体１３と、このスタイラスペン本体１３に配置されたタッチ操作部１５、後述する変位検出部１７および出力部１９とを有して形成されている。
【００３５】
タッチ操作部１５は、一方の先端（図中下先端）をスタイラスペン本体１３の下端から突出するとともに進退動自在状態でスタイラスペン本体１３内に収納支持されたペン軸２１と、スタイラスペン本体１３内にてそのペン軸２１を突出方向に付勢する付勢部材２３と、スタイラスペン本体１３内においてペン軸２１に当接してこの進退動の変位量を電気信号に変換する回転板２５とを有している。
【００３６】
ペン軸２１は、図３に示すように、その軸方向中程から中空になって下先端とは反対側の先端（図中の上先端）まで延びて開口しており、上先端外周にフランジ２７を有しており、スタイラスペン本体１３内を塞ぐように固定配置された係止板２９にフランジ２７が係止されるようになっている。
【００３７】
すなわち、ペン軸２１は、下先端側から係止板２９に遊びを持って挿通してスタイラスペン本体１３の下端から突出するようになっている。
【００３８】
なお、図３はスタイラスペン本体１３の一部を示しており、これより下側および上側が省略されている。後述する図８も同様である。
【００３９】
スタイラスペン本体１３内の上端近傍には、当接板３１がスタイラスペン本体１３内を塞ぐように固定配置されており、当接板３１の中央部にはガイド棒３３が係止板２９まで垂下するように固定されている。なお、後述するように、ペン軸２１がスタイラスペン本体１３内に押し込まれると、ガイド棒３３はペン軸２１の中空部に挿入されるようになっている。
【００４０】
ガイド棒３３の周囲には、当接板３１とフランジ２７に弾性的に圧接する圧縮コイルばね３５が当接するように配置されており、ペン軸２１がスタイラスペン本体１３からの突出方向に付勢されている。
【００４１】
そして、パネル操作用スタイラスペン３は、使用されない状態において、図２Ｂに示すように、ペン軸２１がスタイラスペン本体１３から最大突出長で突出し、その付勢力に抗してペン軸２１をスタイラスペン本体１３内に押し込むと、同図Ｃに示すように、ペン軸２１がスタイラスペン本体１３内に押し込まれるようになっており、押圧力を除けば、ペン軸２１がスタイラスペン本体１３下端から自動的に突出するようになっている。
【００４２】
変位検出部１７は、スタイラスペン本体１３内においてペン軸２１に当接するとともにこの進退動に応じて回転する回転板２５と、この回転板２５の回転変位をカウントする等して電気的な伸縮情報に変換する電子回路としての後述する変換部３７（図２、図３では図示せず。）を有している。
【００４３】
回転板２５の正転、逆転方向により、例えばプラス又はマイナスの伸縮情報を出力するようになっている。
【００４４】
変位検出部１７は、図４に示すように、ペン軸２１に当接してこの進退動に伴って回転変位する回転板２５と、この回転板２５の回転変位をカウントしてペン軸２１の進退動による変位量に応じた電気信号に変換した伸縮情報を検出する変換部３７とを有して形成されており、変換部３７からの伸縮情報が出力部１９の記憶部３９および制御部４１に出力されるようになっている。
【００４５】
出力部１９は、記憶部３９、制御部４１および送信部４３を有して形成されている。
【００４６】
記憶部３９は、制御部４１の制御の下、伸縮情報を記憶するとともに、制御部２５の動作処理中の中間データその他を記憶する機能を有している。
【００４７】
制御部４１は、ＣＰＵおよびこのＣＰＵの動作プログラムを格納したＲＯＭ等を有して形成され、記憶部３９から読み出した伸縮情報を所定の形式信号にして送信部４３に出力する機能を有している。
【００４８】
送信部４３は、その伸縮情報に基づき高周波信号を変調してアンテナから外部に向けて無線信号を送信する機能を有している。なお、アンテナは、スタイラスペン本体１３内に配置されるが、図示は省略した。
【００４９】
次に、本発明に係るパネル操作装置１を図４を参照して説明する。
【００５０】
図４において、パネル操作装置１は、上述した表示パネル部５、操作パネル部７および受信部１１に加えて、主制御部４５を中心に記憶部４７、表示制御部４９、位置検出部５１等を内蔵して構成されている。
【００５１】
主制御部４５は、受信部１１、記憶部４７、表示制御部４９および位置検出部５１等を制御するもので、制御演算機能の主要部をなすＣＰＵやこのＣＰＵの動作プログラムを格納したＲＯＭを有している。なお、主制御部４５および受信部１１の機能は後述する。
【００５２】
記憶部４７は、主制御部４５に制御の下、パネル操作装置１の動作プログラム、表示パネル部５に表示させる画像データ、後述するポインタ位置情報を記憶する他、パネル操作用スタイラスペン３使用時の直前操作機能、パネル操作装置１の動作中の中間データを一時的に記憶する読み書き可能なメモリであり、表示制御部４９および位置検出部５１に接続されている。
【００５３】
パネル操作用スタイラスペン３使用時の直前操作機能としては、表示パネル部５に表示する表示画像の拡大縮小指示機能がある。
【００５４】
表示制御部４９は、主制御部４５からの制御信号および記憶部４７からの画像データに基づき、後述するように表示パネル部５で実際に表示できる表示画像データを拡大又は縮小形成するとともに、これを表示させるために表示パネル部５を動作制御する機能を有する。すなわち、表示制御部４９は主制御部４５とともに画像制御部として機能している。
【００５５】
表示パネル部５は、図１に示したように、操作面を外部に向けて配置された公知の例えば液晶ディスプレイであり、表示制御部４９によって表示制御されてポインタを含む画像が表示される。
【００５６】
表示パネル部５には、図１に示したように、これと同形状の操作パネル部７が外部に向けて重ねるように配置されている。
【００５７】
操作パネル部７は、例えば透過性シートに電極を配置した静電形タッチスイッチを入力点とし、これら入力点が平面的に縦横方向に多数配列されて形成されており、パネル操作用スタイラスペン３のタッチ操作部１５によってタッチされた入力点がオン動作し、縦方向および横方向からオン信号を出力するものであり、パネル操作用スタイラスペン３によって操作入力を受付ける公知の構成および機能を有し、位置検出部５１に接続されている。
【００５８】
位置検出部５１は、操作パネル部７上でパネル操作用スタイラスペン３によってタッチされてオン動作した入力点から出力されたオン信号に基づき、操作パネル部７上のオン動作した入力点の座標位置をポインタの表示位置として検出するものであり、タッチ検出位置情報を記憶部４７に出力するとともに、タッチ操作有無情報を主制御部４５に出力する機能を有している。
【００５９】
受信部１１は、パネル操作用スタイラスペン３からの無線信号を図示しないアンテナで受信し、受信信号を復調して伸縮情報を生成するとともに、その伸縮情報を主制御部４５に出力する機能を有する入力部である。
【００６０】
主制御部４５は、表示制御部４９および記憶部４７を制御し、記憶部４７の画像データを表示制御部４９に出力制御して表示パネル部５に表示制御する機能の他、パーソナルデータ処理端末としての一般的機能を有している。
【００６１】
主制御部４５は、位置検出部５１および記憶部４７から検出位置情報を取得し、パネル操作用スタイラスペン３におけるタッチ操作部１５のタッチした位置を入力座標とし、この入力座標から操作入力点を算出してポインタ画像の位置を決定する機能を有している。
【００６２】
また、主制御部４５は、受信部１１から入力された伸縮情報に基づき、伸縮情報が拡大を指示するものであれば、表示制御部４９に対して操作入力点すなわちポインタ表示位置を基準にして表示画像を連続的に拡大制御する一方、伸縮情報が縮小を指示するものであれば、表示制御部４９に対してポインタ表示位置を基準にして表示画像を連続的に縮小制御する機能を有している。
【００６３】
例えば、パネル操作用スタイラスペン３をタッチ操作部１５にタッチして押しつけると、ペン軸２１が押し込まれ、パネル操作用スタイラスペン３から拡大を指示する伸縮情報が連続して得られるから、図６Ａから同図Ｂに示すように、ポインタＰを基準にして表示画像が順次拡大表示される。
【００６４】
他方、タッチ操作部１５に対するパネル操作用スタイラスペン３の押圧力を弱めれば、ペン軸２１が突出し、パネル操作用スタイラスペン３から縮小を指示する伸縮情報が連続して得られ、図６Ｂから同図Ａに示すように、ポインタＰを基準にして表示画像が順次縮小表示され、元の形状の画像状態になる。
【００６５】
次に、本発明に係るパネル操作システムの動作を図７のフローチャートを参照して説明する。
【００６６】
ステップＳ１にて拡大率に合わせて主制御部４５、表示制御部４９および表示パネル部５が画像を表示し、ステップＳ２にてそれらが操作パネル部７上でパネル操作用スタイラスペン３のタッチされた入力点座標にポインタを移動した画像を表示し、続くステップＳ３にて、パネル操作用スタイラスペン３からの伸縮情報を受けたか否か主制御部４５が判別する。
【００６７】
伸縮情報を受けずにステップＳ３がＮＯであれば、ステップＳ１に戻ってステップＳ２、３を繰り返すとともに、図示しない処理等によってフローチャートを抜ける。
【００６８】
他方、タッチ入力処理や伸縮情報入力処理を受けてステップＳ３がＹＥＳあれば、ステップＳ４にて主制御部４５が伸縮情報に応じて表示制御部４９を制御し、ポインタ位置を基準にして画像を拡大又は縮小等の画像可変制御処理をして表示パネル部５に表示させ、図示しないステップに移る。
【００６９】
このような動作処理ステップが、本発明のパネル操作処理プログラムに該当する。
【００７０】
このように本発明のパネル操作システムは、パネル操作装置１および操作用スタイラスペン３とで構成されている。
【００７１】
しかも、パネル操作装置１は、表示する表示パネル部５に重ねられ、タッチによって操作入力する入力点が多数配列された操作パネル部７と、タッチされた入力点の位置座標を検出する位置検出部５１と、そのタッチ操作を行うパネル操作用スタイラスペン３からの伸縮情報を入力する入力部１１と、入力された伸縮情報に応じてその表示パネル部５における表示画像を、そのタッチ位置を基準にして伸縮させて表示制御する画像制御部（主制御部、表示制御部）４５、４９とを有している。
【００７２】
そのパネル操作用スタイラスペン３は、スタイラスペン本体１３と、このスタイラスペン本体１３から突出してパネル操作装置１の操作パネル部７をタッチ操作する進退動可能なペン軸２１と、このペン軸２１の進退動に応じた伸縮情報を出力する出力部１９とを有している。
【００７３】
そのため、パネル操作用スタイラスペン３の操作によってタッチ入力と画像伸縮表示指示の双方の操作を行うことが可能で、操作の簡略化を図ることが可能である。
【００７４】
また、その伸縮情報としてペン軸２１の後退動に伴って伸張情報を、前進動に伴って縮小情報を出力するから、操作パネル部７に対してパネル操作用スタイラスペン３を押せば、自動的かつ連続的に表示画像を拡大させることが可能となる。
【００７５】
しかも、上記ペン軸２１が突出方向に付勢されているから、操作パネル部７からパネル操作用スタイラスペン３を離せば、自動的に表示画像が元の画像に戻る利点がある。
【００７６】
また、上述したパネル操作装置およびパネル操作用スタイラスペンについても、独立して本発明を構成し、上述した効果に寄与する。
【００７７】
そして、上述した本発明のパネル操作用スタイラスペン３においては、パネル操作装置１の操作パネル部５に押して離せば、自動的にペン軸２１が付勢力によって自動的に元に戻る構成であったが、本発明はこれに限定されず、ペン軸２１を途中で一時的に固定する固定部材５３を設ける構成も可能である。
【００７８】
例えば、図８および図９に示すように、パネル操作用スタイラスペン３のスタイラスペン本体１３には、ペン軸２１を囲むように４分割された扇形の係止片５５が配置されている。
【００７９】
これら係止片５５は、ペン軸２１に対面する側に係止突起５７を有し、これとは反対の外側にはスタイラスペン本体１３から突出する操作突起５９を有しており、ペン軸２１に対して進退動可能に係止板２９に支持されるとともに、係止板２９に配置されたばね６１によって操作突起５９がスタイラスペン本体１３から突出するよう付勢されている。
【００８０】
他方、ペン軸２１には、この外周に環状の凹溝６３が共軸的に連続形成されており、付勢に抗して操作突起５９をスタイラスペン本体１３内に押し込むと、係止片５５の係止突起５７が凹溝６３に係止され、ペン軸２１の進退動を停止固定することが可能である。
【００８１】
操作突起５９の押圧を除けば、ばね６１の付勢力によって操作突起５９がスタイラスペン本体１３から突出して、ペン軸２１の進退動の停止が解除される。
【００８２】
なお、４個のうち複数の係止片５５の操作によって、ペン軸２１の進退動がより確実に停止されるし、いずれの方向からも係止片５５の操作が可能となる。
【００８３】
このように、パネル操作用スタイラスペン３が、外部からの操作を受けてそのペン軸２１の変位を一時的に固定する固定部材５３を有する構成では、伸縮途中の画像を一時的に固定することが可能となる利点がある。
【００８４】
また、上述した本発明においては、パネル操作用スタイラスペン３とパネル操作装置１を無線通信で接続したが、本発明ではこれに限定されず、ケーブルで双方を接続する構成も可能であり、これに合わせてパネル操作用スタイラスペン３の出力部１９やパネル操作装置１の入力部１１を形成すれば良い。
【００８５】
さらに、本発明に用いる操作パネル部７は、上述した静電形タッチスイッチに限定されず、例えば静電容量式、感圧式等の公知の構成で実施可能である。
【００８６】
ところで、本発明に係るパネル操作処理プログラムにつき言及すれば、タッチによって操作入力する入力点が多数配列され表示パネル部に重ねられた操作パネル部に対し、そのタッチ操作によってその操作パネル部を制御する制御用コンピュータに、タッチによってその入力点の操作入力を受けるタッチ入力処理と、タッチ操作を行うパネル操作用スタイラスペンからの伸縮情報を入力する伸縮情報入力処理と、入力されたその伸縮情報に応じてその表示パネル部における表示画像をそのタッチ位置を基準にして伸縮させて表示制御する画像可変制御処理とを実行させる構成となっており、上述したパネル操作装置１と同様の効果を得ることが可能である。
【００８７】
また、本発明は、上述したパーソナルデータ処理端末に限らず、タッチパネルを有する携帯型ゲーム機、ＣＡＤ用のデジタイザ、絵画用のタブレット等に広く応用可能である。
【図面の簡単な説明】
【００８８】
【図１】本発明に係るパネル操作システムの実施の形態を示す概略構成図である。
【図２】本発明に係るパネル操作用スタイラスペンの実施の形態を示す断面図および外観図である。
【図３】本発明に係るパネル操作用スタイラスペンの構成を示す要部断面図である。
【図４】本発明に係るパネル操作用スタイラスペンの構成を示すブロック図である。
【図５】本発明に係るパネル操作装置の実施の形態を示すブロック図である。
【図６】本発明に係るパネル操作装置の動作を説明する図である。
【図７】本発明に係るパネル操作装置の動作を説明するフローチャートである。
【図８】本発明に係るパネル操作用スタイラスペンの他の構成を示す要部断面図である。
【図９】図９のパネル操作用スタイラスペンの要部を示す要部拡大図である。
【符号の説明】
【００８９】
１  パネル操作装置
３  パネル操作用スタイラスペン
５  表示パネル部
７  操作パネル部
９  操作スイッチ
１１  受信部（入力部）
１３  スタイラスペン本体
１５  タッチ操作部
１７  変位検出部
１９  出力部
２１  ペン軸
２３  付勢部材
２５  回転板
２７  フランジ
２９  係止板
３１  当接板
３３  ガイド棒
３５  圧縮コイルばね
３７  変換部
３９、４７  記憶部
４１  制御部（出力部）
４３  送信部（出力部）
４５  主制御部（画像制御部）
４９  表示制御部（画像制御部）
５１  位置検出部
５３  固定部材
５５  係止片（固定部材）
５７  係止突起（固定部材）
５９  操作突起（固定部材）
６１  ばね（固定部材）
６３  凹溝（固定部材）
Ｐ  ポインタ
【図１】
2009020552.tif 000003
【図２】
2009020552.tif 000004
【図３】
2009020552.tif 000005
【図４】
2009020552.tif 000006
【図５】
2009020552.tif 000007
【図６】
2009020552.tif 000008
【図７】
2009020552.tif 000009
【図８】
2009020552.tif 000010
【図９】
2009020552.tif 000011